(57)【要約】【課題】実用的な複数の測定演算量を出力するコリオリ質量流量計を提供する。【解決手段】被測定流体が流れ両端が固定される測定チューブと、前記測定チューブを振動させる励振手段と、前記測定チューブに設置されるセンサと、前記センサから得た信号から前記被測定流体についての複数の物理量を算出する測定演算部とを備えるコリオリ質量流量計において、所定の周期ごとにトリガを生成するタイマー部と、前記トリガに基づき選択のパターンを変更する選択記憶部と、前記パターンに基づき前記物理量のいずれかを選択する少なくとも一つの選択部と、前記選択部の出力を電流出力に変換する変換部とを備える。【選択図】                    図１
2007263777.tif 000002
【特許請求の範囲】
【請求項１】
被測定流体が流れ両端が固定される測定チューブと、前記測定チューブを振動させる励振手段と、前記測定チューブに設置されるセンサと、前記センサから得た信号から前記被測定流体についての複数の物理量を算出する測定演算部とを備えるコリオリ質量流量計において、
所定の周期ごとにトリガを生成するタイマー部と、
前記トリガに基づき選択のパターンを変更する選択記憶部と、
前記パターンに基づき前記物理量のいずれかを選択する少なくとも一つの選択部と、
前記選択部の出力を電流出力に変換する変換部とを備える
ことを特徴とするコリオリ質量流量計。
【請求項２】
前記電流出力はネットワークに伝送され、
前記タイマー部は前記ネットワークからの通信により前記トリガの設定が行われ、
前記選択記憶部は前記ネットワークからの通信により前記パターンの設定が行われる
ことを特徴とする請求項１記載のコリオリ質量流量計。
【請求項３】
前記選択記憶部の出力に同期した接点出力を備える
ことを特徴とする請求項２記載のコリオリ質量流量計。
【発明の詳細な説明】
【技術分野】
【０００１】
本発明は、コリオリ質量流量計に関し、特に、複数の測定演算量を出力するコリオリ質量流量計に関する。
【背景技術】
【０００２】
従来のコリオリ質量流量計は、一つの電流出力に一つの測定演算量を出力する（例えば、特許文献１参照）。
【０００３】
まず、コリオリ質量流量計を説明する（図示せず）。コリオリ質量流量計は、被測定流体が流れ両端が固定される測定チューブと、この測定チューブを振動（共振振動）させる励振手段と、この測定チューブに設置されるセンサと、このセンサから得た信号から被測定流体の物理量を算出する測定演算部とを備える。
【０００４】
以下に図３に基づいて従来のコリオリ質量流量計の要部を説明する。
【０００５】
測定演算部は、例えば、質量流量測定演算部１１と、密度測定演算部１２と、流体温度測定演算部１３と、体積流量測定演算部１４その他とから構成される。
【０００６】
そして、被測定流体の質量流量測定演算部１１は質量流量の値を生成し、密度測定演算部１２は被測定流体の密度の値を生成し、流体温度測定演算部１３は被測定流体の流体温度の値を生成し、体積流量測定演算部１４は被測定流体の体積流量の値を生成する。
【０００７】
詳しくは、被測定流体に関する、質量流量の値と、密度の値と、流体温度の値とを演算する。また、質量流量の値と密度の値とから体積流量の値を演算する。
【０００８】
また、選択部２１は、質量流量測定演算部１１の出力と密度測定演算部１２の出力と流体温度測定演算部１３の出力と体積流量測定演算部１４の出力とのいずれかを選択する。
【０００９】
さらに、変換部２２は、選択部２１の出力を電流出力２３に変換する。そして、この電流出力はネットワーク（図示せず）に伝送される。
【００１０】
具体的には、例えば、選択部２１は質量流量測定演算部の出力を選択し、変換部２２は質量流量の値を変換する。こうして、電流出力２３は質量流量の値に対応した出力となる。
【００１１】
同様に、例えば、選択部２４は、質量流量測定演算部１１の出力と密度測定演算部１２の出力と流体温度測定演算部１３の出力と体積流量測定演算部１４の出力とのいずれかを選択する。
【００１２】
さらに、変換部２５は、選択部２４の出力を電流出力２６に変換する。そして、この電流出力はネットワーク（図示せず）に伝送される。
【００１３】
【特許文献１】特開平０７−１８１０６９号公報
【発明の開示】
【発明が解決しようとする課題】
【００１４】
しかしながら、図３の従来例は、一つの電流出力に一つの測定演算量（測定演算値）しか出力できないという課題がある。また、選択部２１及び選択部２２を変更することは煩雑であり、上位システム側のオーバーヘッドが発生するという課題がある。さらに、電流出力のネットワークの制限（具体的には、１２００ｂｐｓの制限）により、選択記憶部のパターンを速く切り換えることが困難という課題がある。
【００１５】
本発明の目的は、以上説明した課題を解決するものであり、実用的な複数の測定演算量を出力するコリオリ質量流量計を提供することにある。
【課題を解決するための手段】
【００１６】
このような目的を達成する本発明は、次の通りである。
（１）被測定流体が流れ両端が固定される測定チューブと、前記測定チューブを振動させる励振手段と、前記測定チューブに設置されるセンサと、前記センサから得た信号から前記被測定流体についての複数の物理量を算出する測定演算部とを備えるコリオリ質量流量計において、所定の周期ごとにトリガを生成するタイマー部と、前記トリガに基づき選択のパターンを変更する選択記憶部と、前記パターンに基づき前記物理量のいずれかを選択する少なくとも一つの選択部と、前記選択部の出力を電流出力に変換する変換部とを備えることを特徴とするコリオリ質量流量計。
（２）前記電流出力はネットワークに伝送され、前記タイマー部は前記ネットワークからの通信により前記トリガの設定が行われ、前記選択記憶部は前記ネットワークからの通信により前記パターンの設定が行われることを特徴とする（１）記載のコリオリ質量流量計。
（３）前記選択記憶部の出力に同期した接点出力を備えることを特徴とする（２）記載のコリオリ質量流量計。
【発明の効果】
【００１７】
本発明によれば次のような効果がある。
本発明によれば、高速で複数の測定演算量を出力可能（多出力可能）なコリオリ質量流量計を提供できる。また、上位システムのオーバーヘッドが小さく、ネットワークの負荷が小さく、高速なコリオリ質量流量計を提供できる。さらに、出力された測定演算量を効率的に識別可能なコリオリ質量流量計を提供できる。
【００１８】
また、本発明によれば、実用的な複数の測定演算量を出力する（多出力の）コリオリ質量流量計を提供できる。さらに、本発明によれば、簡便なコリオリ質量流量計を提供できる。また、本発明によれば、電流出力を増すことなく、適切に各測定演算量を監視・制御できる。さらに、本発明によれば、電流出力のネットワークの制限があるシステムにおいて、好適な特性を得ることができる。
【発明を実施するための最良の形態】
【００１９】
以下に図１に基づいて本発明を詳細に説明する。図１は、本発明の一実施例を示す構成図である。図３の従来例と同一の要素には同一符号を付し説明を省略する。
【００２０】
図１の実施例の特徴は、タイマー部３２と選択記憶部３４とに係る構成にある。そして、電流出力２３または電流出力２６を時分割で切り換える点にある。
【００２１】
タイマー部３２は、所定の周期ごとにトリガ（タイマー値）を生成する。また、選択記憶部３４は、このトリガに基づき選択のパターン（制御信号）を生成し変更する。さらに、接点出力３５は、選択記憶部３４の出力に対応する出力を伝送する。
【００２２】
そして、このパターンは、初期設定またはネットワークからの設定で定められる。そして、このパターンは、タイマー部３２の時間で相対的に定まる。
【００２３】
このような図１の実施例は、一つの電流出力で複数の測定演算量を伝送できる。
【００２４】
さらに、ネットワーク（図示せず）を介して、タイマー部３２のトリガの設定が行われる。また、選択測定演算量設定部３３は、ネットワークを介して、選択記憶部３４のパターンの設定を行う。即ち、タイマー部３２と選択測定演算量設定部３３とは通信によって設定される。
【００２５】
具体的には、ホストコンピュータ（図示せず）がこのネットワークに接続される。そして、このホストコンピュータがネットワークを介して、タイマー部３２と選択記憶部３４との設定を行う。
【００２６】
このような図１の実施例は、簡便で、上位システム側のオーバーヘッドが小さく、高速な多出力のコリオリ質量流量計を提供できる。
【００２７】
以下に図１の実施例の動作について図２を用いて説明する。図２は、図１の実施例の電流出力及び接点出力を示す特性図である。同図において、横軸は時間であり、電流出力２３である電流出力１の測定演算量と、電流出力２６である電流出力２の測定演算量と、接点出力３５である接点出力とを示す。
【００２８】
また、選択記憶部３４は所定のパターンを保持する。さらに、選択部２１はこのパターンに基づいて、質量流量測定演算部１１の出力と密度測定演算部１２の出力と流体温度測定演算部１３の出力と体積流量測定演算部１４の出力とのいずれかを選択する。
【００２９】
まず、選択測定演算量設定部３３の初期設定を行う。そして、選択記憶部３４は初期設定で生成されたパターンを保持する。さらに、タイマー部３２は、時刻Ｔ０にトリガを生成する。
【００３０】
そして、選択部２１は、初期設定で生成されたパターンに基づいて、質量流量測定演算部１１の出力を選択し、電流出力２３は質量流量の値を出力する。また、選択部２４は密度測定演算部１２を選択し、電流出力２６は密度の値を出力する。さらに、接点出力３５は低い電圧（例えば、０Ｖ）になる。
【００３１】
次に、タイマー部３２は、時刻Ｔ１になるとトリガを生成する。そして、選択記憶部３４はこのトリガに基づきパターンを変更する。
【００３２】
こうして、時刻Ｔ１において、選択部２１はパターンに基づき流体温度測定演算部１３の出力を選択し、電流出力２３は温度の値を出力する。また、時刻Ｔ１において、選択部２４はパターンに基づき体積流量測定演算部１４を選択し、電流出力２６は体積流量の値を出力する。さらに、接点出力３５は高い電圧（例えば、５Ｖ）になる。
【００３３】
そして、タイマー部３２は、時刻Ｔ２になるとトリガを生成し、選択記憶部３４は、このトリガに基づきパターンを変更する。
【００３４】
こうして、時刻Ｔ２において、選択部２１はパターンに基づき質量流量測定演算部１１の出力を選択し、電流出力２３は質量流量の値を出力する。また、時刻Ｔ２において、選択部２４はパターンに基づき密度測定演算部１２を選択し、電流出力２６は密度の値を出力する。さらに、接点出力３５は低い電圧（例えば、０Ｖ）になる。
【００３５】
そして、タイマー部３２は、時刻Ｔ３になるとトリガを生成し、選択記憶部３４は、このトリガに基づきパターンを変更する。
【００３６】
こうして、時刻Ｔ３において、選択部２１はパターンに基づき流体温度測定演算部１３の出力を選択し、電流出力２３は温度の値を出力する。また、時刻Ｔ３において、選択部２４はパターンに基づき体積流量測定演算部１４を選択し、電流出力２６は体積流量の値を出力する。さらに、接点出力３５は高い電圧（例えば、５Ｖ）になる。
【００３７】
したがって、図１の実施例は、複数の測定演算量を監視・制御可能とするコリオリ質量流量計を提供する。
【００３８】
また、接点出力３５を監視することにより、電流出力がいずれの測定演算量であるかを簡便に識別できる。詳しくは、現時点での電流出力がいずれの測定演算量であるかの識別は、初期設定のときにきめた設定と接点出力の値とで識別できる。
【００３９】
具体的には、接点出力３５が低い電圧（例えば、０Ｖ）のときは、電流出力１（電流出力２３）は質量流量の値であり、電流出力２（電流出力２６）は密度の値であると識別できる。また、接点出力３５が高い電圧（例えば、５Ｖ）のときは、電流出力１（電流出力２３）は温度の値であり、電流出力２（電流出力２６）は体積流量の値であると識別できる。
【００４０】
さらに、主要な測定演算量である質量流量及び密度が出力される時間（Ｔ１−Ｔ０）、（Ｔ３―Ｔ２）を補助的な測定演算量である温度及び体積流量が出力されている時間（Ｔ２−Ｔ１）よりも長くする。このようにすると、効率的な制御・監視ができる。
【００４１】
また、接点出力３５の数を増すと、一つの電流出力から出力できる測定演算量の種類を増すことが可能になり、一層複数の測定演算量を監視・制御可能となる。さらにまた、接点出力３５は、例えば、トランジスタのコレクタ出力が用いられる。
【００４２】
さらに、図１の実施例において、接点出力３５に基づき、選択された測定演算量を識別する識別信号出力部（図示せず）を設ける構成であってもよい。詳しくは、この識別信号出力部は、選択記憶部３４のパターン（制御信号）の変化に基づき識別信号を出力するようにする。
【００４３】
また、本発明は、上述の実施例に限定されることなく、その本質を逸脱しない範囲でさらに多くの変更及び変形を含むものである。
【図面の簡単な説明】
【００４４】
【図１】本発明の一実施例の要部を示す構成図である。
【図２】図１の実施例の電流出力及び接点出力を示す特性図である。
【図３】従来のコリオリ質量流量計の要部を示す構成図である。
【符号の説明】
【００４５】
１１  質量流量測定演算部
１２  密度測定演算部
１３  流体温度測定演算部
１４  体積流量測定演算部
２１，２４  選択部
２２，２５  変換部
２３，２６  電流出力
３２  タイマー部
３３  選択測定演算量設定部
３４  選択記憶部
３５  接点出力
【図１】
2007263777.tif 000003
【図２】
2007263777.tif 000004
【図３】
2007263777.tif 000005